(57)【要約】      （修正有）【課題】ボックステイッシュペーパーの外箱をなくし、再生紙を使ったテイッシュペーパーで使い易いケース、使い易く、補充・交換が簡単に出来、持運びしやすく、ケースの内外に他に物を収納する。ゴミやほこりが付かない様にする。【解決手段】ボックステイッシュのペーパー取出し口を縦にした状態で、ケース上部の開口部よりケースに縦に収納して、横又は手前に引き出し使用するテイッシュペーパーケースを作成。ケースにペーパーを入れた他に、本体内外に実用性の物やアクセサリー性の物を入れられる収納部を設けた。持運びしやすい様ケース本体内外に取っ手を設けた。テイッシュペーパーにゴミやほこりが付かない様に、本体上部に蓋を設けた。一例として、食堂ではテーブルの上ではテイッシュペーパーを入れて、収納ポケットに水受けを置いてその上に花の植木鉢を、他のポケットには塩・醤油・七味唐辛子・コショー・妻楊枝等を入れた。【選択図】図１
2010052828.tif 000002
【特許請求の範囲】
ボックステイッシュペーパーの外箱を無くし、再生紙を使い、容量を増やしたテイッシュペーパーの、仮名称をエコテイッシュとします。
【請求項１】
ボックステイッシュ・エコテイッシュの取出し口を縦にした状態で、ケース上部の開口部より、ケースに縦に収納して、横又は手前にペーパーを引き出して使用するテイッシュペーパーケース
【請求項２】
テイッシュペーパーケース本体の、内側・外側・両方に実用性の物やアクセサリー性の物を収納出来る場所を設けたテイッシュペーパーケース。
【請求項３】
請求項１・請求項２のテイッシュペーパーケースを持運びしやすくする為、ケース本体・内側や外側に取っ手を設け、移動しやすくしたテイッシュペーパーケース。
【請求項４】
請求項１・請求項２・請求項３のテイッシュペーパーケースを、衛生的にする為にケース本体の上部に蓋を設けてゴミやほこりが付かない様にしたテイッシュペーパーケース。
【発明の詳細な説明】
【技術分野】
【０００１】テイッシュペーパーケース
【背景技術】
【０００２】エコテイッシュペーパーは、ケースがないと使いにくい場合がよくあります。
エコテイッシュペーパーは、見た目が安っぽく見える場合がよくあります。【０００３】
【特許文献１】名称  テイッシュペーパーケース  特許出願番号  ２００８−１３８７１８
【発明の開示】
【発明が解決しようとする課題】
【０００４】★特許出願番号  ２００８−１３８７１８のケースを小型・コンパクトに出来ないか。
★ボックステイッシュ・エコテイッシュを使い易く出来ないか。
★見た目のよい化粧ケースに入れて使えないか。
★ペーパーの補充・交換が簡単に出来ないか。
★大きく・重たくなっても持運びしやすく出来ないか。
★ケースの内側・外側に回りの物を整理するポケットの様な収納部を設けられないか。
【発明が解決しようする手段】
【０００５】☆ケース本体の上部を開口部にしてボックステイッシュ・エコテイッシュを取出し口が縦になる様に縦に収納し、ペーぱーを手前に引き出す構造。
☆ケースにペーパーを入れた他に、ケース内側・外側・両方に実用性の物やアクセサリー性の物を入れられる収納部を設けた構造。
☆ケースが大きく・重たくなっても持運びしやすい様にケース本体・ケース外側に取っ手を設けた構造。
☆テイッシュベーパーを衛生的にする為、ゴミやほこりが付かない様ケース本体の上部に蓋を設けた構造。
【０００６】ケースの材料としては、紙・布・木・植物・陶器・プラスチック・ゴム・ガラス・石タイル・金属・粘土・レンガ・コルク・皮・パン等ほとんどの物が使えます。
【発明の効果】
【０００７】◎出願番号  ２００８−１３８７１８の物より小さくコンパクトになりました。
◎底面積はボックステイッシュより一回り大きい位になりました。
◎ボックステイッシュ・エコテイッシュが簡単に収納でき使い易くなりました。
◎好みの材料・デザインの化粧ペーパーケースが簡単に作れます。
◎取っ手を設けると、大きく・重たくなっても持運びが楽に出来ます。
◎本体上部にゴミやほこり除けに蓋を設けると衛生的です。
◎ケース本体の内側・外側・両方に物を入れられるポケットの様な収納部があると、実用性の物やアクセサリー性の物が入れられ回りが整理されて、使い易く又心癒される。
たとえば、食堂のテーブルの上ではテイッシュペーパーを入れて、花の植木鉢を入れる時は水受けを下に置いて植木鉢を乗せる、回りのポケットには、塩・醤油・七味唐辛子・コショー・妻楊子・ペットシュガー・小ミルク等、テーブル上がかたずきます。
又リビングのテーブルでは、テレビ・エアコン・ＣＤ・ＤＶＤ・ストーブ・扇風機・等のリモコン、筆記具等、テーブルの上がかたずきます。
又化粧台では、各種化粧品・化粧道具・アクセサリー等、化粧台の上がかたずきます。
【図面の簡単な説明】
【図１】  使用時斜面図
【図２】  使用時斜面図
【図１】
2010052828.tif 000003
【図２】
2010052828.tif 000004
【手続補正書】
【提出日】平成20年10月16日(2008.10.16)
【手続補正１】
【補正対象書類名】特許請求の範囲
【補正対象項目名】全文
【補正方法】変更
【補正の内容】
【特許請求の範囲】
【請求項１】
ボックステイッシュペーパーの外箱を無くし、再生紙を使い、容量を増やしたテイッシュペーパーの仮名称をエコテイッシュとします。
【請求項２】
ボックステイッシュ・エコテイッシュの取出し口を縦にした状態で、ケース上部の開校部より、ケースに縦に収納して、横又は手前にペーパーを引き出して使用するテイッシュペーパーケース
【請求項３】
テイッシュペーパーケース本体の、内側・外側・両方に実用性の物やアクセサリー性の物を収納出来る場所を設けたテイッシュペーパーケース。
【請求項４】
請求項２・請求項３のテイッシュペーパーケースを持運びしやすくする為、ケース本体・内側や外側に取っ手を設け、移動しやすくしたテイッシュペーパーケース。
【請求項５】
請求項２・請求項３・請求項４のテイッシュペーパーケースを、衛生的にする為にケース本体の上部に蓋を設けてゴミやほこりが付かない様にしたテイッシュペーパーケース。
【手続補正書】
【提出日】平成20年11月5日(2008.11.5)
【手続補正１】
【補正対象書類名】明細書
【補正対象項目名】０００４
【補正方法】変更
【補正の内容】
【０００４】★特許出願番号  ２００８−１５１０５６のケースを小型・コンパクトに出来ないか。
★ボックステイッシュ・エコテイッシュを使い易く出来ないか。
★見た目のよい化粧ケースに入れて使えないか。
★ペーパーの補充・交換が簡単に出来ないか。
★大きく・重たくなっても持運びしやすく出来ないか
★ケースの内側・外側に、回りの物を整理するポケットの様な収納部を設けられないか
【手続補正２】
【補正対象書類名】明細書
【補正対象項目名】０００７
【補正方法】変更
【補正の内容】
【０００７】◎特許出願番号  ２００８ー１５１０５６の物より小さくコンパクトになりました
◎底面積はボックステイッシュより一回り大きい位になりました。
◎ボックステイッシュ・エコテイッシュが簡単に収納でき使い易くなりました。
◎好みの材料・デザインの化粧ペーパーケースが簡単につくれます。
◎取っ手を設けると、大きく・重たくなっても持運びが楽にできます。
◎本体上部にゴミやほこり除けに蓋を設けると衛生的です。
◎ケース本体の内側・外側・両方に物を入れられるポケットの様な収納部があると、実用性の物やアクセサリー性の物が入れられ回りが整理されて、使い易く又心癒される
たとえば、食堂のテーブルの上ではテイッシュペーパーを入れて花の植木鉢を入れる時水受けを下に置いて植木鉢を乗せる、回りのポケットには、塩・醤油・七味唐辛子・コショー・妻楊枝・ペットシュガー・小ミルク等テーブル上がかたずきます。
又リビングのテーブルでは、テレビ・エアコン・ＣＤ・ＤＶＤ・ストーブ・扇風機等のリモコン・筆記具等、テーブルの上がかたずきます。
又化粧台では、各種化粧品・化粧道具・アクセサリー等、化粧台の上がかたずきます。